(57)【要約】【課題】機器との干渉を回避して前面意匠パネルの所望の位置に表示内容を表示することができ、視認性や意匠性を向上させた室内機を得る。【解決手段】空気調和機の室内機１００に設置される表示装置２００は、枠状の表示装置カバー２２０と回動用アーム２６５が設けられた表示装置ベース２６０とから形成される函体と、印刷シートが貼付されたホルダー前面２４１を筐体の開口部から突出する基板ホルダー２４０と、基板２５０と、を有し、回動用アーム２６５の端部に設けられた回動軸２６６が、筐体１１５に固定された取付枠２８０に回動自在に取り付けられ、前面意匠パネル１０１が前面開口部を覆った際、表示装置２００は前面意匠パネル１０１とフィルター自動清掃ユニット１５０を構成するダストボックス１５２とに挟まれ、前面意匠パネル１０１が前面開口部を開放した際、表示装置２００は前面開口部を開放する。【選択図】図９
2011033283.tif 000002
【特許請求の範囲】
【請求項１】
吸引口および吹出口、並びに前面に前面開口部を具備するユニット本体と、
前記吸引口から前記吹出口に至る風路を形成する送風手段と、
前記風路内に配置された熱交換手段と、
前記ユニット本体の前面開口部を覆い且つ開放する前面意匠パネルと、
該前面意匠パネルが前面開口部を覆った際、該前面意匠パネルに表示内容を投影する表示装置と、を有し、
前記前面意匠パネルが透光性を有する板材であって、一方の端縁部が前記ユニット本体に回動自在または着脱自在に設置され、
前記表示装置に表示装置アームが固定され、該表示装置アームの端部が前記ユニット本体に回動自在または着脱自在に設置されていることを特徴とする空気調和機の室内機。
【請求項２】
前記風路の一部または全部を覆うフィルターと、
該フィルターの一部分または全域を清掃するフィルター自動清掃装置と、を有し、
該フィルター自動清掃装置を構成するダストボックスが、前記ユニット本体の前面に設置され、
前記前面意匠パネルが前記ユニット本体の前面開口部を覆った際、前記表示装置は前記前面意匠パネルと前記ダストボックスとの間に位置することを特徴とする請求項１記載の空気調和機の室内機。
【請求項３】
前記ユニット本体の前面に、表示装置取付枠が設置され、
前記表示装置アームの先端に設けられた回動軸が、前記表示装置取付枠に設けられた回動軸受に支持されていることを特徴とする請求項１記載の空気調和機の室内機。
【請求項４】
前記表示装置アームは、所定の回動範囲において前記表示装置取付枠の一部に摺動して回動抵抗を受けることを特徴とする請求項３記載の空気調和機の室内機。
【請求項５】
前記表示装置取付枠に一体的に設置された回動軸受部材を有し、
前記回動軸受が前記表示装置取付枠に形成された切欠部と前記回動軸受部材に形成された切欠部とによって構成され、
前記表示装置アームの側面を挟圧自在な抵抗板が前記回動軸受部材に設けられ、
前記表示装置アームの側面に突出するように形成された突起が、前記抵抗板に形成された突条に摺動することを特徴とする請求項４記載の空気調和機の室内機。
【請求項６】
前記表示装置は、前記表示内容が印刷された印刷シートと、
該印刷シートが前面に貼付された基板ホルダーと、
該基板ホルダーに固定され、発光手段を具備する基板と、
板状の表示装置ベースと、
該表示装置ベースに着脱自在に設置された枠状の表示装置カバーと、を有し、
前記基板ホルダーが、前記表示装置ベースと前記表示装置カバーとによって形成される開口部を有する函体に、抜け出し不能に保持されると共に、前記基板ホルダーの前記印刷シートが貼付された前面が、前記函体の開口部から突出していることを特徴とする請求項１記載の空気調和機の室内機。
【請求項７】
前記前面意匠パネルがユニット本体の前面開口部を覆った際、前記基板ホルダーの前記印刷シートが貼付された前面が前記前面意匠パネルの裏面に、前記函体内に配置された付勢手段によって押し付けられることを特徴とする請求項６記載の空気調和機の室内機。
【請求項８】
前記表示装置の下方に運転制御のためのセンサーが配置され、
前記前面意匠パネルがユニット本体の前面開口部を覆った際、前記前面意匠パネルの前記センサーに相当する位置に貫通孔が形成されていることを特徴とする請求項１記載の空気調和機の室内機。
【発明の詳細な説明】
【技術分野】
【０００１】
本発明は空気調和機の室内機、特に、運転状況等を表示する表示手段を装備した、空気調和機の室内機に関するものである。
【背景技術】
【０００２】
空気調和機の運転状況等を表示する表示手段を装備した、空気調和機の室内機（以下、単に「室内機」と称す）について、発明者等は、表示の視認性が良く、意匠性に優れた室内機を提供している（例えば、特許文献１参照）。
【先行技術文献】
【特許文献】
【０００３】
【特許文献１】特開２００９−７９７８７号公報（第４−５頁、第１図）
【発明の概要】
【発明が解決しようとする課題】
【０００４】
特許文献１に開示された室内機は、室内機の前面に設置される前面意匠パネルを光透過自在にし、前面意匠パネルの背面に表示装置を押し付けることによって、表示装置の表示内容を前面意匠パネルを透過して目視可能にしたものである。このため、表示の視認性が良く、意匠性に優れ、さらには、運転停止時の外観意匠性が向上していた。
このとき、室内機の前面の上寄りから上面にかけてフィルターが設置されていることから、清掃時の取り外しを容易にするため、あるいは、フィルター自動清掃機構が前面寄りに設置される場合には、設置のスペースを確保するため、さらに、前面の下寄りで左右方向の中央に運転制御のためのセンサーが配置されていることから、干渉を避けるため、表示装置は前面の下寄りに二分割して設置する必要があった。
【０００５】
すなわち、表示内容は前面意匠パネルの上下方向の下縁に近い限られた範囲に、しかも、幅方向の中央に配置されたセンサー部材を挟んで、左右方向の２箇所に表示（透過して表示）されていた。このため、表示内容を、前面意匠パネルの所望の位置（たとえば、上下方向および左右方向の略中央部）に、まとめて表示することによって、視認性や意匠性をさらに向上させた室内機の出現が要請されていた。
また、表示装置を構成する表示基板が２枚であることから、部品点数を削減して、部品コストの低減や、組立の作業性向上による製造コストの低減が要請されている。
【０００６】
本発明は、上記のような要請に応えるものであって、第１の目的は、前面意匠パネルの所望の位置に表示内容を表示することができ、視認性や意匠性をさらに向上させた室内機を得ることにある。特に、フィルター自動清掃機構を設置しても、フィルター自動清掃機構を構成するダストボックスの着脱を可能にする室内機を得ることにある。
また、第２の目的は、表示装置を構成する表示基板を一枚にすることができ、部品コストや製造コストを低減させた室内機を得ることにある。
【課題を解決するための手段】
【０００７】
本発明に係る空気調和機の室内機は、
吸引口および吹出口、並びに前面に前面開口部を具備するユニット本体と、
前記吸引口から前記吹出口に至る風路を形成する送風手段と、
前記風路内に配置された熱交換手段と、
前記ユニット本体の前面開口部を覆い且つ開放する前面意匠パネルと、
該前面意匠パネルが前面開口部を覆った際、該前面意匠パネルに表示内容を投影する表示装置と、を有し、
前記前面意匠パネルが透光性を有する板材であって、一方の端縁部が前記ユニット本体に回動自在または着脱自在に設置され、
前記表示装置に表示装置アームが固定され、該表示装置アームの端部が前記ユニット本体に回動自在または着脱自在に設置されていることを特徴とする。
【発明の効果】
【０００８】
本発明に係る空気調和機の室内機は、表示装置が前面意匠パネルの後面側に配置され、前面意匠パネルが一方の端縁部を回動中心にして回動し、表示装置も一方の端縁部を回動中心にして回動する。したがって、前面意匠パネルを回動してユニット本体の前面開口部を開放した際、表示装置を回動することが可能になる。
そうすると、ユニット本体内に収納された機器類（たとえば、フィルターやフィルター自動清掃装置等）を前面開口部を通して直接視認（点検）することができると共に、機器類（たとえば、フィルターやフィルター自動清掃装置を構成するダストボックス等）を前面開口部を通してユニット本体の外に取り出すこと（たとえば、清掃のため）が可能になる。
すなわち、前記視認や取り出しが担保されるから、表示装置を配置する位置の自由度が増し、前面意匠パネルの所望の位置に表示内容を表示することが可能になる。よって、視認性や意匠性をさらに向上させた室内機を得ることができる。また、機器類（たとえば、運転制御のためのセンサー）との干渉を回避することができるから、表示装置を構成する表示基板を一枚にすることができ、安価な室内機を得ることができる。
【図面の簡単な説明】
【０００９】
【図１】本発明の実施の形態１に係る空気調和機の室内機を説明する正面図。
【図２】図１に示す室内機の前面意匠パネルを撤去した状態の斜視図。
【図３】図１に示す室内機の構成部材を分解して示す斜視図。
【図４】図１に示す室内機の前面意匠パネルを閉じた状態を示す側面視の断面図。
【図５】図１に示す室内機に設置された表示装置の構成部材を分解して示す斜視図。
【図６】図５に示す表示装置の前面意匠パネルを閉じた状態を示す側面視の断面図。
【図７】図５に示す表示装置の組立途中の状態を示す側面視の部分断面図。
【図８】図５に示す表示装置の回動軸受の形成を説明する側面視の部分断面図。
【図９】図５に示す表示装置の設置状況（閉じている）を示す側面視の断面図。
【図１０】図５に示す表示装置の設置状況（開いている）を示す側面視の断面図。
【図１１】図５に示す表示装置の回動状況を説明する側面視の断面図。
【図１２】図５に示す表示装置の回動抵抗手段を示す部分斜視図。
【図１３】図５に示す表示装置の回動抵抗手段を示す略正面視の部分断面図。
【図１４】図５に示す表示装置の側面視の部分断面図。
【発明を実施するための形態】
【００１０】
［実施の形態１］
（空気調和機の室内機）
図１〜図４は本発明の実施の形態１に係る空気調和機の室内機を説明するものであって、図１は正面図、図２は前面意匠パネルを撤去した状態の斜視図、図３は構成部材を分解して示す斜視図、図４は前面意匠パネルを閉じた状態を示す側面視の断面図である。
なお、以下に示す各図において同じ部分または相当する部分には同じ符号を付している。また、各図は模式的に描いたものであって、本発明は図示された形態に限定するものではない。
図１〜図４において、空気調和機の室内機（以下「室内機」と称す）１００は、吸引口１１１および吹出口１１２を具備するユニット本体１１０と、吸引口１１１から吹出口１１２に至る風路１１３を形成する送風手段１２０と、風路１１３内に配置された熱交換手段１３０と、を有している。
【００１１】
（ユニット本体）
ユニット本体１１０は室内の壁等に固定される基台１１４（以下、基台１１４側を「後面」と称す）と、基台１１４に固定される筐体１１５と、を有している。そして、筐体１１５の前面傾向部を覆う前面意匠パネル１０１が、筐体１１５の前面寄り（ユニット本体１１０の前面に同じ）に着脱自在かつ回動自在に設置されている。
筐体１１５の上面には吸引口１１１が形成され、筐体１１５の下面（上面の一部を含む）には吹出口１１２が形成され、基台１１４の一部が風路１１３の一部（後面側）を形成している。また、吹出口１１２には、前面上下風向ベーン３０１および下面上下風向ベーン３０２を具備する上下風向調整装置３００が設置されている。
【００１２】
送風手段１２０は基台１１４に装着されるものであって、風路１１３を形成している。
熱交換手段１３０は基台１１４に装着されるものであって、後面側部分および前面側部分を具備し、風路１１３の送風手段１２０よりも上流側に配置され、図示しない室外機から供給される冷媒が流通する伝熱管１３１と、伝熱管１３１が貫通する複数枚の放熱フィン１３２と、を具備している。
そして、熱交換手段１３０の前面側部分の下方には、熱交換手段１３０から滴下したドレンを受け止めるドレンパン１４０が、基台１１４に装着されている。なお、ドレンパン１４０の下面は風路１１３の一部を形成するものであって、図示しない左右風向調整装置が設置されている。
さらに、風路１１３の吸引口１１１の近くで前面寄りに、フィルター１５１を清掃するためのフィルター自動清掃ユニット１５０が着脱自在かつ移動自在に設置（基台１１４に爪によって、熱交換手段１３０にネジによって固定）されている。そして、前面開口部の上下方向の略中央に、フィルター１５１から落下した塵埃を貯溜するためのダストボックス１５２が設置されている。
【００１３】
（表示装置）
前面意匠パネル１０１は、透明樹脂材料で成形され裏面に塗装または印刷などで光の透過が可能な色で着色された意匠層が形成されている。また、ダストボックス１５２の前面側で、ユニット本体１１０の左右方向の略中央に表示装置２００が配置されている（ドレンパン１４０とフィルター自動清掃ユニット１５０とに固定されている）。
したがって、前面意匠パネル１０１が前面開口部を覆った際、前面意匠パネル１０１とダストボックス１５２とによって表示装置２００は、あたかも挟まれた状態になる。すなわち、表示装置２００の前面には、表示内容を印刷した印刷シート２３０が貼付されているから、印刷シート２３０が前面意匠パネル１０１の後面に押し付けられる（これについては別途詳細に説明する）。
そうすると、表示内容が前面意匠パネル１０１の裏面に鮮明に投影される。したがって、投影された表示内容は、透光材料で形成された前面意匠パネル１０１を透過して、前面意匠パネル１０１の前面に表示範囲１０２として表示される。すなわち、表示内容を室内機１００の外部から視認することができる。なお、図１において、表示範囲１０２を点線によって囲まれた範囲として描いているが、点線自体は投影（視認）されないものである。
【００１４】
（センサーユニット）
さらに、表示装置２００の下方に運転制御のためのセンサーユニット４００が配置されている。センサーユニット４００はセンサー本体４０１と、センサー本体４０１を揺動させられる（所定の回転角度の間を往復する）センサーモーター４０２と、を有している。また、前面意匠パネル１０１がユニット本体１１０の前面開口部を覆った際、前面意匠パネル１０１のセンサー本体４０１に相当する位置にパネル貫通孔１０３が形成され、前面意匠パネル１０１の前面には、パネル貫通孔１０３に向かって傾斜するパネル傾斜面１０４が形成されている。
【００１５】
したがって、前面意匠パネル１０１がユニット本体１１０の前面開口部を覆った際、センサー本体４０１はパネル貫通孔１０３と同一の位相に位置し、あるいは、パネル貫通孔１０３に侵入し、広い範囲をセンシングすることが可能になっている。なお、センサー本体４０１は、室内の温度分布（人間の位置を含む）や人間の体感温度、あるいは室内空気に含まれる塵埃の量等を検知するものである。
また、センサーユニット４００は表示装置２００の下方に配置されるから、表示装置２００を構成する基板２５０を１枚にまとめることができる（センサーユニット４００と表示装置２００とが上下方向で同じ位相に配置される場合には、センサーユニット４００を挟むように、基板２５０を２枚にする必要があった）。なお、本発明はセンサーユニット４００の種類や形状を限定するものではない。また、センサーユニット４００の設置を省略してもよい。
【００１６】
（表示装置の構成）
次に、表示装置について詳細に説明する。  
図５〜図１４は本発明の実施の形態１に係る空気調和機の室内機に設置された表示装置を説明するものであって、図５は構成部材を分解して示す斜視図、図６は前面意匠パネルを閉じた状態を示す側面視の断面図、図７は組立途中の状態を示す側面視の部分断面図、図８は回動軸受の形成を説明する構成部材を分解して示す側面視の部分断面図、図９は表示装置の設置状況（前面意匠カバーが閉じている）を示す側面視の断面図、図１０は表示装置の設置状況（前面意匠カバーが開いている）を示す側面視の断面図、図１１は表示装置の回動状態を説明する側面視の部分断面図、図１２は表示装置の回動抵抗手段を説明する部分斜視図、図１３は表示装置の回動抵抗手段を示す略正面視の部分断面図、図１４は部分（取付枠）の室内機（筐体）への固定状態を示す側面視の部分断面図である。
【００１７】
図５〜図７において、表示装置２００は、枠状の表示装置カバー２２０と、表示内容が印刷された印刷シート２３０と、印刷シート２３０が前面に貼付された基板ホルダー２４０と、基板ホルダー２４０にネジ止めされる基板２５０と、板状の表示装置ベース２６０と、を有している。そして、表示装置２００は、回動軸受部材２７０とによって形成される回動軸受において表示装置取付枠（以下、「取付枠」と称す）２８０に回動自在に取り付けられるものである。
【００１８】
（表示装置カバー）
表示装置カバー２２０は、樹脂材料で成形され、カバー内壁２２１およびカバー外壁２２２を具備する断面略Ｊ字状の枠体である。カバー外壁２２２の先端寄りには、表示装置カバー２２０を表示装置ベース２６０に設置するためのカバー孔２２３が複数箇所に形成されている。
また、表示装置カバー２２０には、上方に突出したアームカバー２２５が左右に設けられている。アームカバー２２５は、表示装置ベース２６０に形成された回動用アーム（表示装置アームに相当する）２６５の前面側および側面の一部を覆うものである。
【００１９】
（印刷シート）
印刷シート２３０は、前面意匠パネル１０１の裏面の意匠層に投射される数字、記号、イラスト等の輪郭が縁取り印刷されたもので、基板ホルダー２４０の前面に接着剤で貼り付けられている。
【００２０】
（基板ホルダー）
基板ホルダー２４０は、ＡＢＳ等の樹脂材料によってボックス状に成形され、ホルダー前面２４１の表面に印刷シート２３０が貼付され、ホルダー前面２４１には、基板２５０に実装された発光手段（ＬＥＤ）２５１が挿入される投光窓２４２が形成されている。投光窓２４２の大きさ（開口面積）は、これに挿入される発光手段２５１の数量（１個または２個以上）に応じて決定されている。
そして、基板ホルダー２４０は、表示装置ベース２６０と表示装置カバー２２０とによって形成される函体に抜け出し不能に収納されている。このとき、基板ホルダー２４０のホルダー前面２４１の外周に沿ってホルダー筒部２４３が形成され、ホルダー筒部２４３の先端の外周に、複数のホルダーフランジ２４４が設けられている。
【００２１】
（基板）
基板２５０には、表示手段としての発光手段（たとえば、ＬＥＤ）２５１が実装され、基板ホルダー２４０（正確にはホルダー筒部２４３）にネジ止めされている。
【００２２】
（表示装置ベース）
表示装置ベース２６０は、ＡＢＳ等の樹脂材料から成形されており、表示装置カバー２２０のカバー外壁２２２の内側に侵入自在なベース筒部２６１を有し、ベース筒部２６１には表示装置カバー２２０のカバー孔２２３に陥入自在なベース突起２６２が形成されている。したがって、表示装置ベース２６０と表示装置カバー２２０とは、前者のベース突起２６２が後者のカバー孔２２３に陥入した状態で、一体化し、カバー内壁２２１によって囲まれた開口部を有する函体を形成している。
さらに、表示装置ベース２６０には、上方に突出する回動用アーム（表示装置アームに相当する）２６５が左右に設けられている。回動用アーム２６５の先端には、幅方向に突出した回動軸２６６がそれぞれ設置されている。一方、下方に突出する固定用アーム２６７が左右に設けられている。
さらに、固定用アーム２６７の先端には、表示装置カバー２２０とは反対の方向（後面方向または下方に同じ）に突出する固定用爪２６８がそれぞれ設置されている。
【００２３】
（回動軸受部材）
回動軸受部材２７０は、取付枠２８０に設置されるものであって、表示装置ベース２６０（表示装置２００に同じ）の回動軸２６６が侵入自在な軸受部材切欠部２７６が形成されている。
また、回動軸受部材２７０が取付枠上部材２８１に設置されている。
すなわち、取付枠切欠部２８６と軸受部材切欠部２７６とによって形成された軸受に回動軸２６６は回動自在に支持される。
また、回動軸受部材２７０には、表示装置ベース２６０の回動用アーム２６５を幅方向に把持（挾持）して、回動用アーム２６５の側面に摺動する一対の抵抗板２７５が形成されている。
【００２４】
（付勢手段）
前記函体の内部には左右両側に付勢手段（たとえば、コイルバネ）２９０が配設され、基板ホルダー２４０を表示装置ベース２６０から離れる方向に付勢している。したがって、基板ホルダー２４０のホルダー前面２４１（その表面に印刷シート２３０が貼付されている）は、カバー内壁２２１によって囲まれた開口部を貫通して、前記函体の外部に突出している。
このとき、基板ホルダー２４０のホルダーフランジ２４４は表示装置カバー２２０（表示装置ベース２６０に固定されている）のカバー内壁２２１の端部に当接するから、基板ホルダー２４０が前記函体から抜け出すことがない。
また、前面意匠パネル１０１が閉じて前面開口部を塞いだ際、前面意匠パネル１０１の裏面は基板ホルダー２４０の前面（印刷シート２３０）に当接して、後面方向に押し込む。したがって、前面意匠パネル１０１に反り等がある場合でも、前面意匠パネル１０１の裏面に印刷シート２３０が押し付けられることになる。
【００２５】
図７において、表示装置カバー２２０のカバー内壁２２１には、対応する位置に一対のカバー切欠部２２４が形成されている。また、表示装置ベース２６０のベース筒部２６１には、カバー切欠部２２４に侵入自在なベース突起２６３が形成され、ベース突起２６３には内側に突出するベースフランジ２６４が設けられている。
したがって、表示装置ベース２６０のベースフランジ２６４に基板ホルダー２４０のホルダーフランジ２４４を係止すれば、基板ホルダー２４０が付勢手段２９０の力を受け止めることになる。このため、表示装置カバー２２０に付勢手段２９０の力をかけることなく（正確には、設置された状態では、カバー内壁２２１の端面とベースフランジ２６４との両方に力がかかる）、表示装置カバー２２０を表示装置ベース２６０に設置（固定）することができるから、設置作業が容易になる。
【００２６】
（表示装置取付枠）
取付枠２８０は、筐体１１５にネジ固定されるものであって、表示装置２００が回動自在に取り付けられると共に、表示装置２００の下方で、センサーユニット４００が取り付けられる。
取付枠２８０は上方に配置される取付枠上部材２８１と、取付枠上部材２８１と平行に配置される取付枠下部材２８２と、両者を連結する一対の取付枠縦部材２８３と、を有している。
そして、取付枠上部材２８１の先端部には、表示装置ベース２６０（表示装置２００に同じ）の回動軸２６６が侵入自在な取付枠切欠部２８６が形成されている。
また、取付枠下部材２８２にはセンサーユニット４００が取り付けられ、取付枠下部材２８２の先端部（下端）には、表示装置ベース２６０の固定用爪２６８が侵入自在な爪把持部２８８が形成されている。
【００２７】
（表示装置の回動機構）
図８において、回動軸受部材２７０と取付枠２８０とが離れた状態で描かれ、回動軸受部材２７０の軸受部材切欠部２７６と取付枠２８０の取付枠切欠部２８６とが対向している。そして、両者の中間に表示装置ベース２６０（表示装置２００に同じ）の回動軸２６６が位置している。したがって、回動軸受部材２７０が取付枠２８０に設置された際、軸受部材切欠部２７６と取付枠切欠部２８６とによって形成される略円筒状空間が、回動軸２６６を回動自在に支持する軸受として機能する。
【００２８】
（閉じた状態）
図９において、前面意匠パネル１０１が前面開口部を閉じ、表示装置２００は垂れ下がった状態で、爪把持部２８８に侵入した固定用爪２６８によって、取付枠２８０に固定されている。固定用爪２６８の先端は矢尻状に拡がり、爪把持部２８８の入口は部分的に狭くなっているから、爪把持部２８８に侵入した固定用爪２６８は容易に抜け出さないようになっている（図６を合わせて参照）。
このとき、表示装置２００の基板ホルダー２４０は、付勢手段２９０によって、前面方向に押し出されているから、基板ホルダー２４０の前面に貼付された印刷シート２３０は、前面意匠パネル１０１の裏面に印刷シート２３０に押し付けられている。
なお、取付枠２８０を斜線にて示している。このとき、取付枠２８０の取付枠上部材２８１に形成された上部材係止溝２８１ｂが、フィルター自動清掃ユニット１５０に形成された清掃ユニット係止爪１５０ｂに係止し、取付枠２８０の取付枠下部材２８２に形成された下部材係止爪２８２ａ、２８２ｂが、それぞれドレンパン１４０に形成されたドレンパン係止溝１４０ａ、１４０ｂに係止している。
【００２９】
（開いた状態）
図１０において、前面意匠パネル１０１が前面開口部を開放し、表示装置２００は回動して、前面開口部を開放している。すなわち、フィルター自動清掃ユニット１５０を構成するフィルター１５１およびダストボックス１５２を正面から視認することができる。
したがって、フィルター１５１やダストボックスの着脱が容易になっている。
【００３０】
（回動固定手段）
図１１の（ａ）において、回動用アーム２６５の先端に形成されたアーム先端突起２６５ａが、取付枠２８０の取付枠上部材２８１に形成された上部材突起２８１ａの上方に位置している。
図１１の（ｂ）において、回動用アーム２６５の先端に形成されたアーム先端突起２６５ａが、取付枠２８０の取付枠上部材２８１に形成された上部材突起２８１ａに係止している。すなわち、アーム先端突起２６５ａが上部材突起２８１ａを乗り越えるだけの力をかけて、表示装置２００が回動している（持ち上がっている）。このため、同様に乗り越えるだけの力をかけないと、表示装置２００は回動しない（垂れ下がらない）から、使用者が表示装置２００から手を離しても、表示装置２００はかかる姿勢（開いた状態）に保持される。よって、フィルター１５１やダストボックスの着脱がさらに容易になる。
【００３１】
（回動抵抗手段）
図１１〜図１３において、表示装置ベース２６０の回動用アーム２６５の側面には、幅方向に突出したアーム側面突起２６５ｂが形成され、一方、回動軸受部材２７０の抵抗板２７５の回動用アーム２６５に摺動する面には複数の突条（凹溝に同じ、以下、「抵抗板突条」と称す）２７５ｂが形成されている。
したがって、表示装置２００を回動するには、アーム側面突起２６５ｂが抵抗板突条２７５ｂを乗り越えるだけの力をかけて、次々に乗り越える必要がある。よって、アーム先端突起２６５ａが上部材突起２８１ａから外れた状態で、使用者が表示装置２００から手を離しても、表示装置２００が自重で垂れ下がるようなことがない。すなわち、不用意に表示装置２００が垂れ下がることがないから、作業性が向上すると共に、部材同士の衝突による部材（表示装置２００等）の損傷が防止される。
【００３２】
（筐体への固定）
図１４において、取付枠２８０の取付枠上部材２８１に上部材ネジ孔２８１ｃが形成され、筐体１１５の前面に筐体ボルト孔１１５ａが形成されている。そして、筐体ボルト孔１１５ａを貫通して、上部材ネジ孔２８１ｃに螺合する取付ボルト２８４によって、取付枠２８０は筐体１１５（ユニット本体１１０に同じ）に固定されている。
このとき、上部材ネジ孔２８１ｃは前方になる程、下方に傾斜しているから、室内から取付ボルト２８４を容易に操作（取り付け、取り外し）することができる。また、取付ボルト２８４を１本にしても、取付枠２８０は複数箇所においてユニット本体１１０に係止しているから、固定が弛むことがない。
【産業上の利用可能性】
【００３３】
本発明によれば、表示装置２００の設けられた回動用アーム（表示装置アーム）２６５の端部を中心にして、表示装置を回動することによって前面開口部を開放することができる。このため、表示装置を配置する位置の自由度が増し、前面意匠パネルの所望の位置に表示内容を表示することによって、視認性や意匠性を向上することができるから、家庭用および事業用の各種空気調和機の室内機として広く利用することができる。
【符号の説明】
【００３４】
１００：室内機、１０１：前面意匠パネル、１０２：表示範囲、１０３：パネル貫通孔、１０４：パネル傾斜面、１１０：ユニット本体、１１１：吸引口、１１２：吹出口、１１３：風路、１１４：基台、１１５：筐体、１１５ａ：筐体ボルト孔、１２０：送風手段、１３０：熱交換手段、１３１：伝熱管、１３２：放熱フィン、１４０：ドレンパン、１４０ａ：ドレンパン係止溝、１５０：フィルター自動清掃ユニット、１５０ｂ：清掃ユニット係止爪、１５１：フィルター、１５２：ダストボックス、２００：表示装置、２２０：表示装置カバー、２２１：カバー内壁、２２２：カバー外壁、２２３：カバー孔、２２４：カバー切欠部、２２５：アームカバー、２３０：印刷シート、２４０：基板ホルダー、２４１：ホルダー前面、２４２：投光窓、２４３：ホルダー筒部、２４４：ホルダーフランジ、２５０：基板、２５１：発光手段、２６０：表示装置ベース、２６１：ベース筒部、２６２：ベース突起、２６３：ベース突起、２６４：ベースフランジ、２６５：回動用アーム、２６５ａ：アーム先端突起、２６５ｂ：アーム側面突起、２６６：回動軸、２６７：固定用アーム、２６８：固定用爪、２７０：回動軸受部材、２７５：抵抗板、２７５ｂ：抵抗板突条、２７６：軸受部材切欠部、２８０：取付枠、２８１：取付枠上部材、２８１ａ：上部材突起、２８１ｂ：上部材係止溝、２８１ｃ：上部材ネジ孔、２８２：取付枠下部材、２８２ａ：下部材係止爪、２８３：取付枠縦部材、２８４：取付ボルト、２８６：取付枠切欠部、２８８：爪把持部、２９０：付勢手段、３００：上下風向調整装置、３０１：前面上下風向ベーン、３０２：下面上下風向ベーン、４００：センサーユニット、４０１：センサー本体、４０２：センサーモーター。
【図１】
2011033283.tif 000003
【図２】
2011033283.tif 000004
【図３】
2011033283.tif 000005
【図４】
2011033283.tif 000006
【図５】
2011033283.tif 000007
【図６】
2011033283.tif 000008
【図７】
2011033283.tif 000009
【図８】
2011033283.tif 000010
【図９】
2011033283.tif 000011
【図１０】
2011033283.tif 000012
【図１１】
2011033283.tif 000013
【図１２】
2011033283.tif 000014
【図１３】
2011033283.tif 000015
【図１４】
2011033283.tif 000016